Podtech/llm-jp-corpus-v4-ja_patent huggingface dataset:
(57)【要約】【課題】ストッキング等の展示の際に、上部の余った部分の処理が容易で、且つ、見栄え良く展示することのできる足型を提供すること。【解決手段】少なくとも人体の足先から脛までを模し、上部に空洞１６を有する本体１２と、空洞１６に嵌め込まれる蓋体１４とからなる靴下類の展示用足型１０である。実際に靴下等を履いた状態を展示することができ、また、靴下等の上部の余った部分を足型内部に入れて隠すことができるため、見た目がすっきりし、見栄え良く展示することができる。さらに、靴下等の余った部分を縛ったりする必要がないため、展示品の着脱も、短時間で容易に行なうことができる。【選択図】図２
0003147558.tif 000002
【実用新案登録請求の範囲】
【請求項１】
少なくとも人体の足先から脛までを模し、上部に空洞を有する本体と、
前記空洞に嵌め込まれる蓋体とからなることを特徴とする、
靴下類の展示用足型。
【請求項２】
膝上部までを含む、請求項１の靴下類の展示用足型。
【請求項３】
前記蓋体が円筒部とフランジからなる、請求項１又は２の靴下類の展示用足型。
【考案の詳細な説明】
【技術分野】
【０００１】
本考案は、ストッキングや靴下等（以下、「靴下等」と総称する。）の商品を展示するために使用される足型に関する。
【背景技術】
【０００２】
従来のストッキング等の展示用具としては、図１（Ａ）のような、人体の足先から脛までを模した足型や、特許文献１のような展示用具があった。
【特許文献１】特開２００３−４０６号公報
【考案の開示】
【考案が解決しようとする課題】
【０００３】
しかし、図１（Ａ）のような足型では、図１（Ｂ）のように、ストッキング等の上部の余った部分が、必然的に上部外側に出てしまうため、この部分を見栄え良く処理することができないという問題があった。
一方、特許文献１の展示用具は、人体の脛の部分しか模していないため、足先までも含めて実際に装着した様子や、靴下等の重ね履きの例等を展示したい場合には対応できないとう問題がある。
【０００４】
そこで、ストッキング等の展示の際に、上部の余った部分の処理が容易で、且つ、見栄え良く展示することのできる足型が必要とされている。
【課題を解決するための手段】
【０００５】
本考案は、少なくとも人体の足先から脛までを模し、上部に空洞を有する本体と、
前記空洞に嵌め込まれる蓋体とからなることを特徴とする靴下類の展示用足型によって、前記課題を解決した。
【考案の効果】
【０００６】
本考案によれば、少なくとも人体の足先から脛までを模した本体を使用するため、実際に靴下等を履いた状態を展示することができる。
また、靴下等の上部の余った部分を足型内部に入れて隠すことができるため、見た目がすっきりし、見栄え良く展示することができる効果がある。
さらに、靴下等の余った部分を縛ったりする必要がないため、展示品の着脱も、短時間で、容易に行なうことができる。
【考案を実施するための最良の形態】
【０００７】
本考案の実施形態について、図２により説明する。
図２（Ａ）は、本考案の実施形態の展示用足型の分解斜視図、（Ｂ）は、本考案の実施形態の展示用足型にストッキング等を装着した場合の斜視図である。
【０００８】
この展示用足型１０は、人体の足先から脛までを模した本体１２と、蓋１４からなる。
本体１２の上部には、空洞１６が形成されている。この空洞１６は、靴下等の上部の余りが収納できる程度に浅くても、或いは、軽量化のために、本体１２の内部全体であってもよい。
蓋体１４は、靴下等の上部の余りが空洞１６に収納された後、空洞１６を塞ぐことができる程度の嵌め合いの円筒部１８と、その上部のフランジ１９からなり、フランジ１９の外周は、空洞１６に嵌め込まれた後、靴下等を履かせた本体１２と面一になるのが好ましい。
【０００９】
なお、図示されているものは、膝下の足型であるが、膝上を含む足型であってもよい。
本考案の足型は、例えば、特開２００７−４４１５０号公報に開示されている展示具を使用して展示される。
【図面の簡単な説明】
【００１０】
【図１】（Ａ）は、従来の展示用足型の斜視図、（Ｂ）は、従来の展示用足型にストッキングを装着した場合の斜視図。
【図２】（Ａ）は、本考案の実施形態の展示用足型の分解斜視図、（Ｂ）は、本考案の実施形態の展示用足型にストッキングを装着した場合の斜視図。
【符号の説明】
【００１１】
１０：展示用足型
１２：本体
１４：蓋体
１６：空洞
１８：円筒部
１９：フランジ
【図１】
0003147558.tif 000003
【図２】
0003147558.tif 000004
(57)【要約】      （修正有）【課題】設置や移動が簡単、かつ、安全に設置や撤去でき、しかも、コンパクトに収納・保管できる道路工事用の信号機の台車を提供する。【解決手段】基台１に、複数の自在キャスター２を設けた台車において、前記基台１上に、信号機の支柱を装着する装着軸３を設け、かつ、バッテリー用ボックスＤを着脱自在に装着する係止枠４を設け、該前記基台１の前後一方、あるいは両方に、指示板を着脱自在に係止する係止枠５ａ，５ｂを設け、また、前記基台１には、床面、あるいは地面に接し固定する、足で操作可能なロック装置６を設け、かつ、差し込み用ハンドル受け７ａ，７ｂを設けて道路工事用の信号機の台車を構成する。【選択図】図１
0003147571.tif 000002
【実用新案登録請求の範囲】
【請求項１】
基台（１）に、複数の自在キャスター（２）（２′）を設けた台車において、基台（１）上に、信号機（Ｘ）の支柱（Ｙ）を嵌挿するホルダー（３）を着脱可能に設け、該ホルダー（３）には、信号機（Ｘ）の向きに合わせて一時固定する固定具（４）を設け、かつ、前記基台（１）上には、バッテリー（Ｂ）あるいは他の工具を収納するボックス（Ｄ）を着脱自在に設け、前記基台（１）の前後一方、あるいは両方に、指示板（Ｅ）を着脱自在に係止する係止枠（５ａ）（５ｂ）を設け、また、前記基台（１）には、地面に基台（１）を一時固定するための，足で操作可能なロック装置（６）を設け、該ロック装置（６）側のキャスター（２）の車軸（２ａ）を、他の側のキャスター（２′）の車軸（２′ａ）よりも高い位置に形成し、かつ、前記基台（１）の前後に、それぞれハンドル（７ａ）（７ｂ）の差し込み用ハンドル受け（８）を設けたことを特徴とする道路工事用の信号機の台車。
【考案の詳細な説明】
【技術分野】
【０００１】
この考案は、道路工事等の際に使用する信号機の搭載用台車に関するものである。
【背景技術】
【０００２】
従来、道路工事等において、臨時の信号を台車上に搭載して設け、通行する車両や人を交通整理して、工事の安全と交通安全を確保している。
【０００３】
しかし、近年、道路交通が盛んになり、通行車両も当然増え、通行人も増えることにより、ガードマンを配備して、より工事の安全・交通の安全を図っている。
【０００４】
そのため、ガードマンは、工事の安全と、通行車両、通行人の安全を守る使命があり、その上、信号機の設置作業上の負担を大きく、素早く設置できると共に、工事が終われば、また、素早く撤去できる台車が必要であり、また、台車は、ワンボックスカーやトラック等に搭載して工事現場まで搬送するものであり、車内で専有面積をとらず、コンパクトな台車であることが望ましい。
【考案の開示】
【考案が解決しようとする課題】
【０００５】
そこで、この考案は、簡易信号装置を使用するに当たって、その設置や移動が簡単、かつ、安全に設置・撤去ができ、しかも、コンパクトに収納・保管できる道路工事用の信号機の台車を開発し、提供することにある。
【課題を解決するための手段】
【０００６】
この考案による課題を解決するための手段としては、台車には、台車として安全上必要最小限の固定部材だけとし、他の部材は、装着・脱、あるいは嵌脱可能な部材を設けた道路工事等の際に使用する信号機の搭載用台車である。
【考案の効果】
【０００７】
この考案によると、台車の基台は、信号機、バッテリーボックス、ハンドルの取り外しが可能であり、コンパクトに形成され、ロック装置を立ったまま、しかも、足で操作できるため、通行車両を見ながら行え、安全であり、また、該台車に装着する信号機も自動、あるいはガードマンが通行車両を確認しながら手動で切り替えスイッチを操作することができるため、安全である等の極めてすぐれた効果を奏するものである。
【考案を実施するための最良の形態】
【０００８】
以下、この考案の好適な実施の形態について、図１に基づいて詳細に説明すると、基台（１）に、複数の自在キャスター（２）（２′）を設けた台車において、基台（１）上に、信号機（Ｘ）の支柱（Ｙ）を嵌挿するホルダー（３）を着脱可能に設け、該ホルダー（３）には、信号機（Ｘ）の向きに合わせて一時固定する固定具（４）を設け、かつ、前記基台（１）上には、バッテリー（Ｂ）あるいは他の工具を収納するボックス（Ｄ）を着脱自在に設け、前記基台（１）の前後一方、あるいは両方に、指示板（Ｅ）を着脱自在に係止する係止枠（５ａ）（５ｂ）を設け、また、前記基台（１）には、地面に基台（１）を一時固定するための，足で操作可能なロック装置（６）を設け、該ロック装置（６）側のキャスター（２）の車軸（２ａ）を、他の側のキャスター（２′）の車軸（２′ａ）よりも高い位置に形成し、かつ、前記基台（１）の前後に、それぞれハンドル（７ａ）（７ｂ）とこれらハンドルの差し込み用ハンドル受け（８）を設けたことを特徴とする道路工事用の信号機の台車より構成されるものである。
【０００９】
基台（１）に装着されたキャスター（２）（２′）は、一部がストッパー付きであり、該ストッパーは内部側に設けている。
【００１０】
そして、ホルダー（３）に挿入する信号機（Ｘ）の支柱（Ｙ）は、伸縮自在の継ぎ手軸を設けており、適宜な高さで固定できるよう構成されている。
【００１１】
また、バッテリー（Ｂ）は、信号機（Ｘ）の動力源であるが、図３、図４に示すように、ソーラーパネル（Ｓ）を装着し、ソーラーシステム（太陽熱電池）を使用する場合には、ボックス（Ｄ）内部には、工事に必要な道具等を入れるものである。
【００１２】
さらに、足で操作可能なロック装置（６）の構造は、図５，図６に示すように、テコの原理で構成してもよく、台車の動きを阻止して、そのレイアウトは、特に、限定されることはない。
【００１３】
また、指示板（Ｅ）は、通行車両や通行人に対して迂回の指示や進行方向を矢印で行うものであり、台車の前後に差し込み可能に設けるものである。
【産業上の利用可能性】
【００１４】
この考案の道路工事用の信号機の台車の技術を確立し、この台車を製造、販売することにより、産業上利用できるものである。
【図面の簡単な説明】
【００１５】
【図１】この考案の一実施例を示す側面図である。
【図２】この考案の一実施例を示す平面図である。
【図３】この考案の使用状態を示す正面図である。
【図４】この考案の使用状態を示す側面図である。
【図５】この考案に使用するロック装置の一実施例を示す正面図である。
【図６】この考案に使用するロック装置の一実施例を示す側面図である。
【符号の説明】
【００１６】
１  基台
２  キャスター
２′キャスター
２ａ  車軸
２ａ′車軸
３  支持軸
４  固定具
５ａ  係止枠
５ｂ  係止枠
６  ロック装置
７ａ  差し込み用ハンドル
７ｂ  差し込み用ハンドル
８  ハンドル受け
Ｂ  バッテリー
Ｄ  ボックス
Ｅ  指示板
Ｓ  ソーラーパネル
Ｘ  信号機
Ｙ  支柱
【図１】
0003147571.tif 000003
【図２】
0003147571.tif 000004
【図３】
0003147571.tif 000005
【図４】
0003147571.tif 000006
【図５】
0003147571.tif 000007
【図６】
0003147571.tif 000008
(57)【要約】      （修正有）【課題】籐や蔓、合成樹脂製バンドに代わるものとして機械漉き和紙でテープ状の原紙を使用して撚り加工等を施して紙紐をつくり、この紙紐を利用して作業がしやすく残紐や使用後の消却処理などにおいても有害ガスなどの発生の少ない手芸用の尺紙バンドを提供する。【解決手段】紙を撚ってなる紙紐の複数本を接着剤を介し並接して紙バンド本体を形成し、この紙バンド本体の少なくとも片面に模様布、無地布の一方或は両方を貼り合わせてなる手芸用紙バンドである。【選択図】図１
0003147518.tif 000002
【実用新案登録請求の範囲】
【請求項１】
紙を撚ってなる紙紐の複数本を接着剤を介し並接して紙バンド本体を形成し、この紙バンド本体の少なくとも片面に模様布、無地布の一方或は両方を貼り合わせてなる手芸用紙バンド。
【請求項２】
短尺状とした紙バンド本体の長さ方向の模様布、無地布の貼り合わせ側の一端部に糊代部を設けてなる請求項１記載の手芸用紙バンド。
【考案の詳細な説明】
【技術分野】
【０００１】
本考案は、テープ状の紙を撚ってなる紙紐の複数本を接着剤を介し並接してなる紙バンド本体を利用した手芸用の紙バンドに関するものである。
【背景技術】
【０００２】
従来、手芸作品として作られている飾り鞠、篭や小物入れなどは、主に籐や植物の蔓等を使用したものが多く、独特の雰囲気を出し強度面や耐水性にも優れているが、籐や蔓の入手が困難で、高価であるばかりか加工し難く、且つ折れやすいためその扱いには十分な注意が必要となる。
又合成樹脂素材による紐或は帯状のものも手芸に使用されることがあるが、残紐や使用後の焼却処理などにおいては有害ガスなどの発生する恐れがあるものとして社会問題ともなっている。
【考案の開示】
【考案が解決しようとする課題】
【０００３】
そこで本考案は、籐や蔓、合成樹脂製バンドに代わるものとして機械漉き和紙でテープ状の原紙を使用して撚り加工等を施して紙紐をつくり、この紙紐を利用して作業のしやすい手芸用の短尺紙バンドを提供しようとするもので、更に残紐や使用後の焼却処理などにおいても有害ガスなどの発生の少ない物を提供しようとするものである。
【課題を解決するための手段】
【０００４】
紙を撚ってなる紙紐の複数本を接着剤を介し並接して紙バンド本体を形成し、この紙バンド本体の少なくとも片面に模様布、無地布の一方或は両方を貼り合わせたものである。
【考案の効果】
【０００５】
手芸材料として、耐久性や保形性のある手芸製品を、且つ作業がしやすく、残紐や使用後の焼却処理などにおいても有害ガスなどの発生が少なく、出来上がった手芸製品は風合いが良いばかりか、使い勝手が良く安価にできる。又模様布が貼り合わせてあるので趣向に富んだものとなり、無地布部分には好みに応じて絵模様を表すこともできる。
【実施例】
【０００６】
これを図示の実施例によって詳記すると、図１において、テープ状の機械漉和紙に撚り加工を施し太さ約１ｍｍの丸状とした紙紐１の１６本を接着剤を介し並接して紙バンド本体２を形成し、この紙バンド本体２の少なくとも片面に、千代紙を細幅に裁断した模様紙や模様を施した布帛・合成樹脂テープなどの模様布３を貼り合わせてなるものである。尚模様布３に代え図示しない無地布を貼り合わせてもよい。模様布、無地布は一方或は両方を貼り合わせてもよい。
【０００７】
紙バンド本体２を形成する紙紐１の本数、幅は、使用目的により適宜変更することができ、紙バンド本体２の両面に模様布３、無地布を貼り合わせてもよく、又模様布３の幅は紙バンド本体２の幅よりやや狭幅であるのが好ましい。
【０００８】
模様布２、無地布の紙バンド本体２への貼り合わせ手段としては模様布３や無地布の材質により接着剤、溶着手段等の適宜汎用手段でよい。
【０００９】
紙バンド本体２を短尺状にし、片面に模様布３、無地布を貼り合せた場合は、模様布３、無地布側の長さ方向の一端部に糊代部４を設けておくことにより手芸作業において紙バンド本体２の両端を重ね合わせて接着する際に紙バンド本体２の表裏が直接接着されるので接続部分の強度が増す。
【図面の簡単な説明】
【００１０】
【図１】本案に係る手芸用紙バンドの平面説明図。
【符号の説明】
【００１１】
１：紙紐
２：紙バンド本体
３：模様布(無地布)
【図１】
0003147518.tif 000003
(57)【要約】      （修正有）【課題】携帯電話器にストラップ連結する蓋付ケース内に２つ折り形の大きめのクリーナーを収納することで常時携行していつでもクリーナーを取出して携帯電話器およびメガネレンズを自由に拭き清めることのできる携帯電話器とメガネ拭きを兼ねたケース入りクリーナーを提供する。【解決手段】開閉ケース１は収容部２と蓋３が蝶番部４をもとに展開，折畳みするように形成し、収容部２にクリーナー５を２つ折りして密に収容する。収容部２の頂部２ａ上の中心に取付部６を設けてストラップ７の一端を取付け、ストラップ７の他端を携帯電話器に設けられた取付リングに取付けて連結して以って携帯電話器とメガネのケース入りクリーナー１０とする。使用するときは開閉ケース１を展開してクリーナー５を取出して携帯電話器を拭き清め、メガネを着用するときはメガネレンズを拭く。【選択図】図２
0003147539.tif 000002
【実用新案登録請求の範囲】
【請求項１】
携帯電話器にストラップにて連結する開閉ケース内に携帯電話器とメガネの両方を拭くことができるクリーナーを収容したことを特徴とする携帯電話器とメガネ拭きを兼ねたケース入りクリーナー。
【請求項２】
開閉ケースはクリーナーの収容部と蓋を蝶番部にて折畳み展開するようにつなげた正面視四角形，丸形である請求項１に記載の携帯電話器とメガネ拭きを兼ねたケース入りクリーナー。
【請求項３】
クリーナーは挟み拭きを可能とする２つ折り形である請求項１または２に記載の携帯電話器とメガネ拭きを兼ねたケース入りクリーナー。
【考案の詳細な説明】
【技術分野】
【０００１】
この考案は携帯電話器とメガネ拭きを兼ねたケース入りクリーナーに関するものである。
【背景技術】
【０００２】
従来、この種のクリーナーとしては実用新案登録第３０８４０５０号公報と同、第３１００１２１号公報がある。
前者は吊下紐２の下の飾りとしてのマスコット１の裏面に汚れ取り用の生地３を備えさせたことを記載し、後者はストラップにつながるほうき型のクリーナー２をカバー４の開放口から下げ出すことを記載している。
【特許文献１】実用新案登録第３０８４０５０号公報
【特許文献２】実用新案登録第３１００１２１号公報
【考案の開示】
【考案が解決しようとする課題】
【０００３】
しかしながら、上記の前者の公報は、膨らみのあるマスコットを持って拭くこととなるので、滑らかな拭きができないという課題がある。また後者の公報はカバーがつきまとうことで拭く際にイライラするという課題がある。
【課題を解決するための手段】
【０００４】
本考案は、携帯電話につながる開閉ケースを展開してケース内から２つ折りしたクリーナーを取出して拭くようにしたので、クリーナーは独立した単体によって何等のわだかまりもなく隅々まで拭き清めることができるようにして、かかる課題を解消するようにしたのである。
【考案の効果】
【０００５】
本考案は携帯電話器にストラップをもって、クリーナー入り開閉ケースを連結したので、クリーナーの紛失を防止することができるという効果を生ずる。
【０００６】
クリーナー入り開閉ケースは携帯電話器を小型にした形状にすることによってアクセサリー作用を奏するという効果を生ずる。
【０００７】
２つ折りしたクリーナーを大きく展開することで携帯電話器とメガネレンズを挟み拭きすることができて、クリーニング作用を向上させることができるという効果を生ずる。
【考案を実施するための最良の形態】
【０００８】
本考案は、携帯電話器にストラップにて連結する開閉ケース内に携帯電話器とメガネの両方を拭くことができる２つ折り形のクリーナーを収容するようにして、開閉ケースよりクリーナーを取出して大きく拡げることでいつでもどこでも携帯電話器，メガネレンズを自由に拭き清めることができるようにした携帯電話器とメガネ拭きを兼ねたケース入りクリーナーにある。
【実施例１】
【０００９】
図１乃至図４は本考案の実施例であって、開閉ケース１は収容部２と蓋３が蝶番部４をもとに展開，折畳みするように形成し、収容部２にクリーナー５を２つ折りして密に収容する。
収容部２の頂部２ａ上の中心に取付部６を設けてストラップ７の一端を取付け、ストラップ７の他端を携帯電話器８に設けられた取付リング９に取付けて連結して以って携帯電話器とメガネのケース入りクリーナー１０とするのである。
【００１０】
使用するときは図２乃至図３に示すように開閉ケース１を展開してクリーナー５を取出して携帯電話器８を拭き清め、メガネ１１を着用するときは図４に示すようにメガネレンズ１１ａを拭くのである。２つ折りのクリーナー５を展開することで、携帯電話器８とメガネレンズ１１ａを挟み拭く要領にてきれいにクリーニングすることができることとなる。
【００１１】
拭き終えたクリーナー５は２つ折りして収容部２内に収めて蓋３を閉じてほこりなどが附着しないようにする。
【実施例２】
【００１２】
図５は第２実施例であって、開閉ケース１を化粧用のコンパクトに似せて正面視丸形にしたもので、その構成と作用は第１実施例と同じである。
【産業上の利用可能性】
【００１３】
本考案は、携帯電話器に取付けることで携行忘れをなくして、いつでもケースからクリーナーを取出して携帯電話器またはメガネレンズをキレイに拭き清めることができるケース入りクリーナーとして広く利用することができるものである。
【図面の簡単な説明】
【００１４】
【図１】ケース入りクリーナーを携帯電話器に取付けた状態にて示す斜視図
【図２】ケースを開いて２つ折り形のクリーナーを取出し、拡げた状態を示す説明図
【図３】携帯電話器の画面を拭いている使用状態を示す斜視図
【図４】メガネレンズを挟み拭きする状態を示す斜視図
【図５】正面視丸形に形成したケースの例を示す正面図
【符号の説明】
【００１５】
１は開閉ケース
２は収容部
２ａは収容部の頂部
３は蓋
４は蝶番部
５は２つ折り形のクリーナー
６は取付部
７はストラップ
８は携帯電話器
９は取付リング
１０はケース入りクリーナー
１１はメガネ
１１ａはメガネレンズ
【図１】
0003147539.tif 000003
【図２】
0003147539.tif 000004
【図３】
0003147539.tif 000005
【図４】
0003147539.tif 000006
【図５】
0003147539.tif 000007
(57)【要約】      （修正有）【課題】基礎コンクリートの打設や周辺基枠材の固設等の手間取る施工を要することなく所望場所に簡便に敷設設置し得る新規構造の安全マットを提供する。【解決手段】ゴムチップを細かく砕いたゴム砕片を熱圧縮又は接着剤を用いる等して固めて緩衝性板状体１を成形し、該緩衝性板状体１の各側端面上の所定箇所に連結片３の差し込み孔を設け、複数の当該緩衝性板状体１を連結片３を介して相互に同一平面を形成すべく接続一体化し得るように構成したことを特徴とする。【選択図】図２
0003147501.tif 000002
【実用新案登録請求の範囲】
【請求項１】
ゴムチップを細かく砕いたゴム砕片を熱圧縮又は接着剤を用いる等して固めて緩衝性板状体１を成形し、該緩衝性板状体１の各側端面２上の所定箇所に連結片３の差し込み孔４を設け、複数の当該緩衝性板状体１を連結片３を介して相互に同一平面を形成すべく接続一体化し得るように構成したことを特徴とする安全マット。
【請求項２】
前記連結片３の表裏両面に中央部で前後対称する抜け止め防止用の鋸歯状突部５又は／及び切欠６を設けてなる請求項１に記載の安全マット。
【考案の詳細な説明】
【技術分野】
【０００１】
本考案は、児童公園、幼稚園、保育園等において、滑り台、シーソー、ブランコ、鉄棒等々の遊具の下部周辺地面に敷設し、遊具使用中等の負傷事故の発生を防止するための安全マットに関するものである。
【背景技術】
【０００２】
従来この種の安全マットは、あらかじめ施設設計に基き、その敷設場所に基礎コンクリートを打設すると共に周辺基枠材を固設して設置台を設ける相応の施工を施した上で設置固定するのが一般的であり、既設の遊具施設に対して事後的に設置するには不向きなものであった。
しかしながら、遊具による負傷事故の発生を未然に防止する安全管理の観点から、既設の遊具施設に対しても、遊具の下部周辺地面等の安全性を高め得るよう事後的に改良を施すことが求められる。
【非特許文献１】ＳＡＮ−ＥＩ公園遊具・修景施設カタログPG−１４
【考案の開示】
【考案が解決しようとする課題】
【０００３】
本考案は、如上の問題点に鑑みて案出したものであって、基礎コンクリートの打設や周辺基枠材の固設等の手間取る施工を要することなく所望場所に簡便に敷設設置し得る新規構造の安全マットを提供することを目的とするものである。
【課題を解決するための手段】
【０００４】
本考案に係る安全マットは、ゴムチップを細かく砕いたゴム砕片を熱圧縮又は接着剤を用いる等して固めて緩衝性板状体１を成形し、該緩衝性板状体１の各側端面２上の所定箇所に連結片３の差し込み孔４を設け、複数の当該緩衝性板状体１を連結片３を介して相互に同一平面を形成すべく接続一体化し得るように構成したことを最も主要な特徴とするものである。
【考案の効果】
【０００５】
本考案の安全マットは、ゴム砕片間に微小な空隙が形成されて衝撃吸収性に優れ、きわめてクッション効果が高いと共に適度な重量と適度な柔軟性を併せ持つことから設置した際の安定感が強く、連結片３を単に差し込むことできわめて手軽に簡便に相互に同一平面を形成し得るように所望複数を接続一体化させて基礎コンクリートの打設や周辺基枠材の固設等の手間取る施工を要することなく所望場所に簡便に設置敷設することができる実用的効果を有する。
【考案を実施するための最良の形態】
【０００６】
本考案は、ゴムチップを細かく砕いたゴム砕片を熱圧縮又は接着剤を用いる等して固めて所定厚みを有する緩衝性板状体１を成形し、該緩衝性板状体１の各側端面２上の所定箇所に連結片３の挿入孔４を設け、複数の当該緩衝性板状材１を同一平面を形成し得るように接続一体化することで、任意地面にそのまま安定的に設置敷設することができるように実現したものである。
【実施例１】
【０００７】
本考案に係る安全マットは、ゴムチップを細かく砕いたゴム砕片を熱圧縮又は接着剤を用いる等して固めてなる緩衝性板状体１であって、ゴム砕片間に微小な空隙が形成されて衝撃吸収性に優れ、本安全マット上に転倒、落下した場合にも負傷を予防し得るに足るクッション効果を有すると共に通水性、速乾性をも有し、野外にあっても長期間に亘って衛生状態を保持することができる。しかも、適度な重量と適度な柔軟性を併せ持つことから平坦な地面に設置した際の安定感に優れる。
【０００８】
上記した本考案安全マットは、その下層をスポンジゴムとなすことにより、衝撃吸収性、クッション性の効果を一層助長させるよう構成することもできる。
【０００９】
本考案安全マットは、その優れた衝撃吸収力を隙間なく効果的に発揮させる上から、また、その運搬性や設置敷設作業時の取り扱い易さ等を勘案すると、５００ｍｍ〜１０００ｍｍ×５００ｍｍ〜１０００ｍｍ程度の正方形乃至長方形の矩形状で、その厚みは４０ｍｍ〜８０ｍｍ程度に設定することが好ましいといえる。  
【００１０】
本考案安全マットの各側端面２上の所定位置には、連結片３を差し込むための差し込み孔４を設けている。
【００１１】
連結片３は、図３及び図４に示すようにその表裏両面に中央部で前後対称するように抜け止め防止用の複数の鋸歯状突部５又は／及び切欠６を設けている。
【００１２】
上記の如くなる連結片３を図２に示すように複数の本考案安全マットにおける相互に対接する側端面２の対応する差し込み孔４、４相互に強制的に差し込むことによってきわめて手軽に該連結片３を介して複数の安全マットを同一平面を形成し得るように接続一体化して、任意平坦地面等に安定的に設置、敷設することができる。
【００１３】
安全マットにおける接地面側となる裏面には、適宜な凹凸模様を刻設して凹面部７、凸面部８を各々形成しており、接地状態下での摩擦抵抗を高めて滑り止め作用を助長している。
【００１４】
本考案に係る安全マットは、以上の如くに構成され、ゴムチップを細かく砕いたゴム砕片を熱圧縮又は接着剤を用いる等して固めて成形したものであるから、衝撃吸収性に優れ、きわめてクッション効果が高いと共に設置安定感が高く、単に差し込むだけの連結片を介して手軽に同一平面を形成し得るように所望複数を接続一体化させ得て、基礎コンクリートの打設や周辺基枠材の固設等の手間取る施工を要することなく簡便にそのまま設置敷設することができる優れた実用的効果を奏する。
【図面の簡単な説明】
【００１５】
【図１】本考案安全マットの実施例を示す斜視図である
【図２】複数の安全マットの連結一体化を説明するための平面図である。
【図３】連結片の平面図である。
【図４】連結片の側面図である
【図５】安全マットの裏面図である。
【符号の説明】
【００１６】
１    安全マット
２    側端面  
３    連結片
４    差し込み孔
５    鋸歯状突部
６    切欠
７    凹面部
８    凸面部
【図１】
0003147501.tif 000003
【図２】
0003147501.tif 000004
【図３】
0003147501.tif 000005
【図４】
0003147501.tif 000006
【図５】
0003147501.tif 000007
(57)【要約】【課題】リヤカーに好ましい制動手段を備えさせることにより、リヤカーの安全性を確保する。【解決手段】左右一対の車輪１、１を備えた荷台３の前側に操作杆５を取り付けてなるリヤカーにおいて、前記各車輪にはディスクブレーキ１１を設け、前記操作杆には各ディスクブレーキを操作するための操作レバー２３を備えさせたことを特徴とするリヤカー。ディスクブレーキ１１は、一例として、車輪１の車軸１３にブレーキディスク１５を固定し、該ブレーキディスク１５の各側傍における相対向する位置に固定パッドと可動パッドとを配設し、該可動パッドを該固定パッド方向に押動させることにより該ブレーキディスク１５を固定パッドと可動パッドとの間で挟圧制動するようにしてなるものである。【選択図】図１
0003147524.tif 000002
【実用新案登録請求の範囲】
【請求項１】
左右一対の車輪を備えた荷台の前側に操作杆を取り付けてなるリヤカーにおいて、
前記各車輪にはディスクブレーキを設け、前記操作杆には各ディスクブレーキを操作するための操作レバーを備えさせたことを特徴とするリヤカー。
【考案の詳細な説明】
【技術分野】
【０００１】
本考案は、リヤカーに関するものであり、特にディスクブレーキを備えたリヤカーに係るものである。
【背景技術】
【０００２】
リヤカーとしては、例えば実用新案登録第３０９８１８５号公報に示すように、左右一対の車輪を備えた荷台の前側に操作杆を取り付けてなるものが広く知られている。
【特許文献１】実用新案登録第３０９８１８５号公報
【考案の開示】
【考案が解決しようとする課題】
【０００３】
リヤカーは、一般に人が操作杆を把持して動かすものであるが、特に制動手段を備えていないため、例えば荷台に重い荷物を積載した状態で坂道を下る場合等には急停止することが困難である。したがって、このような場合には、リヤカーが人や物等に衝突し、或いは道路外に落下する等の不測の事故を惹起するおそれもある。
【０００４】
このような状況に鑑み、本考案は、リヤカーに好ましい制動手段を備えさせることにより、リヤカーの安全性を確保することを目的としてなされたものである。
【課題を解決するための手段】
【０００５】
上記課題を解決するために、本考案は下記のリヤカーを提供する。
【０００６】
左右一対の車輪を備えた荷台の前側に操作杆を取り付けてなるリヤカーにおいて、
前記各車輪にはディスクブレーキを設け、前記操作杆には各ディスクブレーキを操作するための操作レバーを備えさせたことを特徴とするリヤカー（請求項１）。
【考案の効果】
【０００７】
本考案によるリヤカーは、左右一対の各車輪にディスクブレーキを備えているため、随時、急停止することが可能である。例えば荷台に重い荷物を積載した状態で坂道を下る場合等でも、確実に急停止することができる。したがって、リヤカーの高い安全性が確保される。
【０００８】
また、荷台前側の操作杆には各ディスクブレーキを操作するための操作レバーを備えさせているため、ディスクブレーキの操作は極めて容易である、
【考案を実施するための最良の形態】
【０００９】
本考案のリヤカーは、左右一対の車輪１、１を備えた荷台３の前側に操作杆５を取り付けてなる点においては、上記従来のリヤカーと共通する。
【００１０】
しかして、本考案においては、各車輪１、１にディスクブレーキ１１を設ける。
【００１１】
ディスクブレーキ１１は、一例として、車輪１の車軸１３にブレーキディスク１５を固定し、該ブレーキディスク１５の各側傍における相対向する位置に固定パッド１７と可動パッド１９とを配設し、該可動パッド１９を該固定パッド１９方向に押動させることにより該ブレーキディスク１５を固定パッド１７と可動パッド１９との間で挟圧制動するようにしてなるものである。
【００１２】
符号２１に示すものは、可動パッド１９をブレーキディスク１５に接離する方向に移動させる押動手段である。
【００１３】
前記操作杆５には各ディスクブレーキ１１を操作するための操作レバー２３を備えさせる。この操作レバー２３は、好ましくは、単一の操作レバーにより左右両車輪１、１を均一に作動させるようにしたものとする。
【００１４】
操作レバー２３は、一例として、ワイヤ（図示せず。）を介して押動手段２１に関連させ、該操作レバー２３を操作することにより可動パッド１９を固定パッド１９方向に復帰可能に押動させるようになす。
【図面の簡単な説明】
【００１５】
【図１】本考案によるリヤカーの一例を示す側面図である。
【図２】同上リヤカーの平面図である。
【図３】車輪に設けられたディスクブレーキの一例を示す側面図である。
【符号の説明】
【００１６】
１  車輪
３  荷台
５  操作杆
１１  ディスクブレーキ
１３  車軸
１５  ブレーキディスク
１７  固定パッド
１９  可動パッド
２１  押動手段
２３  操作レバー
【図１】
0003147524.tif 000003
【図２】
0003147524.tif 000004
【図３】
0003147524.tif 000005
(57)【要約】      （修正有）【課題】占拠面積の少ない、しかも収納を満足させることのできる、奥行きの浅いキャビネットタイプヘッドボード付きベッドを提供する。【解決手段】背もたれ部分に収納部を有するベッド用キャビネットタイプヘッドボードを総奥行き外寸法を収納部に扉を付属するタイプで１００ｍｍ以下、収納部に扉のないオープンタイプで８０ｍｍ以下の寸法に設定することにより必要最低限の収納を満足させながら、パネルタイプのヘッドボードに近い浅い奥行き寸法によりベッド設置占拠場所の減少を可能とする。【選択図】図１
0003147566.tif 000002
【実用新案登録請求の範囲】
【請求項１】
キャビネットタイプのヘッドボードを備えたベッドであって、ヘッドボードは（１）背も
たれ部分に扉付きの収納部を有し、（２）総奥行き外寸が１００ｍｍ以下の薄型キャビネットであることを特徴とする。
【請求項２】
キャビネットタイプのヘッドボードを備えたベッドであって、ヘッドボードは（１）背も
たれ部分にオープン収納部を有し、（２）総奥行き外寸が８０ｍｍ以下の薄型キャビネットであることを特徴とする。
【考案の詳細な説明】
【技術分野】
【０００１】
本考案はキャビネットタイプヘッドボード付きベッドに関するものである。
【背景技術】
【０００２】
従来のキャビネットタイプヘッドボードを備えたベッドはヘッドボードの奥行き寸法が大
きいためパネルタイプのヘッドボード付きベッドと比較して広い設置面積を必要とする問
題点がある。
【０００３】
【非特許文献１】株式会社アンネルベッドカタログ２００７−２００８  Ｐ０６
【考案の開示】
【考案が解決しようとする課題】
【０００４】
従来のキャビネットタイプヘッドボード付きベッドは奥行き寸法が大きいため広い設置面
積を必要とする問題点を解決課題とする。
【課題を解決するための手段】
【０００５】
本考案は、従来の問題点を解決するための手段として、収納物のサイズ、種類、目的、等
の検討により、背もたれ部分に設けられた収納部の奥行き寸法を必要最小限とすることに
よりキャビネットタイプのヘッドボードを（１）扉付き収納部を有するタイプは総奥行き
外寸法１００ｍｍ以下、（２）オープンタイプ収納部を有するタイプは総奥行き外寸法８０ｍｍ以下とすることにより、収納機能を満たし、奥行きが浅く設置場所の占拠面積の少ないキャビネットタイプヘッドボード付きベッドを提供するものである。
【考案の効果】
【０００６】
上述のような方式のヘッドボードにより、本考案の図１〜３で示すように薄型で収納機能
を備え場所の占拠を少なくする効果がある。
【考案を実施するための最良の形態】
【０００７】
以下、図１〜図４を参照して本考案の実施の形態にかかるの形態を説明する。
【実施例】
【０００８】
以下、添付図面に従って実施例を説明する。図１は請求項１に該当するキャビネットタイ
プヘッドボードの総奥行き外寸２が１００ｍｍ以下であり、背もたれ部分１に扉付き収納
部５を有す薄型キャビネットタイプヘッドボードを備えたベッドの外観斜視図である。以
下、以下、図１〜３は参考例図であり、扉付き収納部５の開閉方法は図示では引き戸タイ
プであるが、開き、フラップ式（跳ね上げ式）、ドロップリッド式（バッタリ式）等、多種、多様であり、形状、位置、数、等は図示に限定するものではない。同様に、図示６の落下防止バーはオープン収納スペース４に設置し収納物の落下を防止する為の物であり、バーの有無、形状、脱着の可否、及び取り付け位置、棚板の付属、等は図示に限定するものではない。同じく、ライト３、オープン収納部４の有無、及び収納部の取り付け位置、数、形状、全体のデザイン、等は図示に限定しない。
【０００９】
図２は同じく請求項１に該当する総奥行き外寸２が１００ｍｍ以下であり、背もたれ部分
１に扉付きの収納部７，９を有する薄型ヘッドボードを備えたベッドの参考例を示す斜視
図である。背もたれ部分１に設けられた収納部の扉７はフラップタイプ（上方向に開く跳
ね上げ式）、扉９はドロップリッドタイプ（下方向に開くバッタリ式）の形態を説明する図である。サイドに新聞、雑誌等の収納部分８が付属する場合もある。
【００１０】
図３は請求項２に該当する総奥行き外寸２が８０ｍｍ以下であり、背もたれ部分１にオー
プンタイプの収納部を有する薄型ヘッドボードを備えたベッドの参考例斜視図である。図
示は収納物の落下防止バー６の付属したオープンタイプの収納部を有するヘッドボードの
参考例の図である。図示の如く、ヘッドボードに収納するものは、テイッシュボックス１
０、目覚まし時計１１、小型ラジオ、クリーム瓶、等、小物が中心であり、例えば、テイ
ッシュボックス１０を図示の如く横置きにした場合内寸５５ｍｍ〜６５ｍｍあれば十分収
納可能であり、総奥行き外寸８０ｍｍ以下でもベッド用ヘッドボードとして必要な収納を
満たせるサイズである。
【００１１】
図４は請求項１、及び請求項２に該当する総奥行き寸法２、及び背もたれ部１の範囲を具
体的に明示説明するベッド側面図である。図示の如くヘッドボードがカーブした場合に於
いても総奥行きサイズは２で示される部分であり、請求項１の１００ｍｍ以下、請求項２
の８０ｍｍ以下の意味するサイズはヘッドボード自体の厚み１３を示すものではない。ヘ
ッドボード背もたれ部とは、矢印で示す範囲１の部分を指す。
【図面の簡単な説明】
【００１２】
【図１】本考案の薄型ヘッドボードの扉付き収納タイプ参考形態図である。
【図２】本考案の薄型ヘッドボードの扉付き収納タイプ参考形態図である。
【図３】本考案の薄型ヘッドボードのオープン収納タイプ参考形態図である。
【図４】本考案の薄型ヘッドボード総奥行き外寸の具体例説明側面図である。
【符号の説明】
【００１３】
１  背もたれ部分
２  総奥行き寸法
３  ライト（照明）
４  オープン収納部
５  スライド扉、又は開き扉
６  落下防止バー
７  フラップ扉
８  サイド収納部
９  ドロップリッド扉
１０  テイッシュボックス
１１  時計
１２  ベッドサイドフレーム
１３  ヘッドボード厚み
【図１】
0003147566.tif 000003
【図２】
0003147566.tif 000004
【図３】
0003147566.tif 000005
【図４】
0003147566.tif 000006
(57)【要約】      （修正有）【課題】水洗いした，一対の靴を乾燥させると共に、乾燥後には、そのまま収納が可能な靴の乾燥及び収納具を提供する。【解決手段】中央に係止フック１を設け、該フック１の左右両側にそれぞれ靴Ｘを吊下する、靴保持腕２ａ，２ｂを、やや前方に傾けて係止フック１と一体に設け、これら各靴保持腕２ａ，２ｂには、それぞれ靴Ｘの爪先部に向かう途中で保持される網目状のカップ体３ａ，３ｂを設け、これらカップ体３ａ，３ｂ内部には、靴乾燥後の収納時に芳香剤Ｙをそれぞれ入れる靴の乾燥及び収納具である。【選択図】図１
0003147597.tif 000002
【実用新案登録請求の範囲】
【請求項１】
吊り下げ具において、中央に係止フック（１）を設け、該フック（１）の左右両側にそれぞれ靴（Ｘ）を吊下する，靴保持腕（２ａ）（２ｂ）を、やや前方に傾けて前記係止フック（１）と一体に設け、これら各靴保持腕（２ａ）（２ｂ）には、それぞれ靴（Ｘ）の爪先部に向かう途中（Ａ）で保持される網目状のカップ体（３ａ）（３ｂ）を設け、これらカップ体（３ａ）（３ｂ）内部には、靴乾燥後の収納時に芳香剤（Ｙ）をそれぞれ入れることを特徴とする靴の乾燥及び収納具。
【考案の詳細な説明】
【技術分野】
【０００１】
この考案は、靴の乾燥及び収納具に関するものであり、特に、スニーカーシューズ等の運動靴を水で洗いし、乾燥させる器具であり、さらに、乾燥後にはその状態を保って収納するための器具である。
【背景技術】
【０００２】
従来、運動靴は汚れた場合には、水洗いした後、靴の爪先の部分を上にして乾燥しており、また、その運動靴を干す器具は、種々存在している。例えば、特許文献１のように。
【特許文献１】特開２００５−２７９２４９号公報
【０００３】
しかし、この靴類乾燥用具は、吊り具の両端に楕円形の輪を設けたものであり、幅の細い靴には適応できず、また、乾燥以外には使い道のないものであった。
水洗いした運動靴を、より素早く乾燥させ、かつ、乾燥後には収納する際、香りよく保存する器具の開発が求められている。
【考案の開示】
【考案が解決しようとする課題】
【０００４】
そこで、この考案は、水洗いした，一対の靴を乾燥させると共に、乾燥後には、そのまま収納が可能な靴の乾燥及び収納具を開発・提供することにある。
【課題を解決するための手段】
【０００５】
この考案は、中央に係止フックと、該フックの左右両側にやや前方に傾け、それぞれ一対の靴を吊下する靴保持腕を、前記係止フックと一体に設け、これら各靴保持腕には、それぞれ靴の爪先部に向かう途中で保持される網目状のカップ体を設け、これらカップ体内部には、靴乾燥後の収納時に芳香剤をそれぞれ入れる靴の乾燥及び収納具とするものである。
【考案の効果】
【０００６】
この考案によると、水洗いして濡れた靴（Ｘ）は、網目状のカップ体（３ａ）（３ｂ）によって、靴（Ｘ）の爪先に向かう途中にて保持されるため、また、前方に傾斜して靴保持腕（２ａ）（２ｂ）を形成してあるため、庭の物干し竿等に係止フックで吊るすことにより、靴内の水切れがよく、早く乾燥することができ、さらに、乾燥後に、保管する際には、網目状のカップ体（３ａ）（３ｂ）内に、芳香剤（Ｙ）を入れて収納するため、該カップ体（３ａ）（３ｂ）が芳香剤（Ｙ）の収納場所となり、靴の、特に、内部によい香りを与えることとなり、極めて有益なる効果を奏するものである。
【考案を実施するための最良の形態】
【０００７】
そのため、この考案は、中央に係止フックと、該フックの左右両側にそれぞれ靴保持腕を、やや前方に傾けて設け、前記係止フックと靴保持腕とを一体に設け、これら各靴保持腕には、それぞれ靴の爪先部に向かう途中で保持される網目状のカップ体をそれぞれ設け、これらカップ体内部には、靴乾燥後の収納時に芳香剤をそれぞれ入れる箇所を設けた靴用の乾燥及び収納具である。
【実施例】
【０００８】
次に、この考案の一実施例を図１に基づいて詳細に説明すると、中央に係止フック（１）を設け、該フック（１）の左右両側にそれぞれ靴（Ｘ）を吊下する，靴保持腕（２ａ）（２ｂ）を、やや前方に傾けて前記係止フック（１）と一体に設け、これら各靴保持腕（２ａ）（２ｂ）には、それぞれ靴（Ｘ）の爪先部に向かう途中（Ａ）で保持される網目状のカップ体（３ａ）（３ｂ）を設け、これらカップ体（３ａ）（３ｂ）内部には、靴乾燥後の収納時に芳香剤（Ｙ）をそれぞれ入れる靴の乾燥及び収納具である。
【０００９】
尚、係止フック（１）の先端の引っかけ部は、回転可能に設けてもよく、また、網目状のカップ体（３ａ）（３ｂ）は、耐腐蝕性の金属製か、あるいは、合成樹脂製がよく、内部には、袋に入れられた芳香剤（Ｙ）を、押し込んで収納してもよく、カップ体（３ａ）（３ｂ）に蓋等を設けたものであってもよい。
【産業上の利用可能性】
【００１０】
この考案の靴の乾燥及び収納具の技術を確立し、大量に実施・販売することにより、産業上の用可能性があるものである。
【図面の簡単な説明】
【００１１】
【図１】この考案の一実施例を示す正面図である。
【図２】この考案の一実施例を示す一部欠截側面図である。
【符号の説明】
【００１２】
１  係止フック
Ｘ  靴
２ａ  靴保持腕
２ｂ  靴保持腕
３ａ  網目状のカップ体
３ｂ  網目状のカップ体
Ａ  靴（Ｘ）の爪先部に向かう途中
Ｙ  芳香剤
【図１】
0003147597.tif 000003
【図２】
0003147597.tif 000004
(57)【要約】      （修正有）【課題】スカーフがシワにならず、また、複数枚のスカーフの中から一見して所望とするスカーフを視認でき、そのスカーフだけを取り出すことのできるスカーフ専用ハンガーを提供する。【解決手段】吊り下げ具１において、該吊り下げ具１の横フレーム１ａに、所定の横方向間隔αを保って、上端部にフック２を有する係止フレーム３をそれぞれ係止し、これら両係止フレーム３には、所定の縦間隔βを保って受け具４をそれぞれ設け、これら受け具４間には、断面が円形状の水平バー５を嵌脱自在に装着することを特徴とする。【選択図】図１
0003147596.tif 000002
【実用新案登録請求の範囲】
【請求項１】
吊り下げ具（１）において、該吊り下げ具（１）の横フレーム（１ａ）に、所定の横方向間隔（α）を保って、上端部にフック（２）を有する係止フレーム（３）をそれぞれ係止し、これら両係止フレーム（３）には、所定の縦間隔（β）を保って受け具（４）をそれぞれ設け、これら受け具（４）間には、断面が円形状の水平バー（５）を嵌脱自在に装着することを特徴とするスカーフ専用ハンガー。
【考案の詳細な説明】
【技術分野】
【０００１】
この考案は、スカーフ専用ハンガーに関するものである。
【背景技術】
【０００２】
首に巻くスカーフは、大抵が、一辺が、約１ｍの矩形状の大きさであり、従来、これを折り畳んでタンスの引き出しに収納しておくか、あるいは、洋服ダンスのネクタイ掛けに複数折りにして係止している。
【０００３】
しかし、このような収納方法では、いざ、外出時等に使用する際、スカーフに畳みジワができているため、アイロンで畳みジワを伸ばして使用したり、また、タンスに複数枚を収納している場合には、洋服に合うスカーフを選択する場合、一々、取り出さなければ、スカーフの模様・色彩が咄嗟に確認することができず、所望のスカーフを選ぶには極めて煩雑であり、折角、収納した他のスカーフを元通りに戻さなければならなかった。
【０００４】
それに対して、スカーフハンガーは存在している。例えば、特許文献１のように。
しかし、このスカーフは、複数本の吊り下げるポールの中心軸付近に貫通孔が設けられ  、これらに戻し紐が設けられており、その分、スカーフを掛けるポールの幅が狭くなり、不便である。
【特許文献１】特開平７−２５５５８３号公報
【考案の開示】
【考案が解決しようとする課題】
【０００５】
そこで、この考案は、スカーフがシワにならず、また、複数枚のスカーフの中から一見して所望とするスカーフを視認でき、そのスカーフだけを取り出すことのできるスカーフ専用ハンガーを開発・提供することにある。
【課題を解決するための手段】
【０００６】
この考案は、既存の洋服ハンガー等の吊り下げ具の横フレームに、所定の間隔を保って、上端部にフックを有する垂下フレーム（３）を、それぞれ係止し、これら垂下フレーム（３）には、所定間隔置きに、断面が円形状の横棒（４）を、係止する受け（５）を設けたことを特徴とするスカーフ用ハンガーとするものである。
【考案の効果】
【０００７】
この考案によると、スカーフ（Ｘ）を三折りにして畳み、これを水平バー（５）に掛けると、水平バー（５）の断面は円形状であり、掛けた部分のスカーフがシワにならない。  また、係止フレーム（３）は、適宜の間隔（β）を保っているため、そこに係止した各スカーフ（Ｘ）で充分、柄、色彩等を視認することができ、さらに、係止フレーム（３）は、上端部にフック（２）が設けられており、係止フレーム（３）間の幅を調製することができる等極めて有益なる効果を奏するものである。
【考案を実施するための最良の形態】
【０００８】
次に、この考案の一実施例を図１に基づいて詳細に説明すると、吊り下げ具（１）において、該吊り下げ具（１）の横フレーム（１ａ）に、所定の横方向間隔（α）を保って、上端部にフック（２）を有する係止フレーム（３）をそれぞれ係止し、これら両係止フレーム（３）には、所定の縦方向間隔（β）を保って受け具（４）をそれぞれ設け、これら受け具（４）間には、断面が円形状の水平バー（５）を嵌脱自在に装着することを特徴とするスカーフ専用ハンガーから構成される。
【０００９】
尚、吊り下げ具（１）は、特別の洋服ハンガーでもよいが、クリーニングに衣服を洗濯に出し、仕上がりの際に吊るされて戻って来る簡易ハンガーのことであり、該簡易ハンガーの係止部（１ｂ）は回転可能に形成されていることが望ましい。
また、横方向間隔（α）は、３５ｃｍ以下、縦方向間隔（β）は８ｃｍ程度がよい。
【産業上の利用可能性】
【００１０】
この考案のスカーフ専用ハンガーの技術を確立し、大量に実施・販売することにより、産業上の用可能性があるものである。
【図面の簡単な説明】
【００１１】
【図１】この考案の一実施例を示す正面図である。
【図２】この考案の一実施例を示す側面図である。
【図３】この考案の一実施例を示す一部欠截斜視図である。
【符号の説明】
【００１２】
１  吊り下げ具
１ａ  横フレーム
１ｂ  簡易ハンガーの係止部
２  フック
３  係止フレーム
４  受け具
５  水平バー
α  横方向間隔
β  縦方向間隔
Ｘ  スカーフ
【図１】
0003147596.tif 000003
【図２】
0003147596.tif 000004
【図３】
0003147596.tif 000005